(57)【要約】【課題】口腔内の複数の部位の各々に適した複数の清掃機能を有し、その各清掃機能を容易に使い分けることができ、しかも各清掃機能を充分に発揮させることができる歯ブラシを提供する。【解決手段】本発明の歯ブラシは、植毛面２０ａに複数本の毛束が植設されてなるブラシ部３０を備え、ブラシ部３０は、任意の高さの用毛からなる第１毛束部と、該第１毛束部の高さより低い第２毛束部とからなる段差状毛束を複数有し、全ての第２毛束部の先端を連ねることによって形成される第２清掃面Ｐ２が、植毛面の長さ方向及び幅方向の少なくとも一方において起伏した起伏形状とされ、全ての第１毛束部の先端を連ねることによって形成される第１清掃面Ｐ１が、第２清掃面Ｐ２と相似形ではない起伏形状、又は、前記植毛面に対して平行な面とされている。【選択図】図６
2015139518.tif 000002
【特許請求の範囲】
【請求項１】
植毛面に複数本の毛束が植設されてなるブラシ部を備える歯ブラシであって、
前記ブラシ部は、任意の高さの用毛からなる第１毛束部と、該第１毛束部の高さより低い第２毛束部とからなる段差状毛束を複数有し、
全ての第２毛束部の先端を連ねることによって形成される第２清掃面が、植毛面の長さ方向及び幅方向の少なくとも一方において起伏した起伏形状とされ、
全ての第１毛束部の先端を連ねることによって形成される第１清掃面が、前記第２清掃面と相似形ではない起伏形状、又は、前記植毛面に対して平行な面とされている、歯ブラシ。
【請求項２】
段差状毛束は、二つ折りされた毛束の間に挟み込まれた平線が、前記植毛面に形成された植毛穴に打ち込まれたことにより植設され、前記第１毛束部と前記第２毛束部とが平線を挟んで形成された、請求項１に記載の歯ブラシ。
【請求項３】
前記第２清掃面の起伏形状が、植毛面の長さ方向に凹凸を有する形状とされている、請求項１又は２に記載の歯ブラシ。
【発明の詳細な説明】
【技術分野】
【０００１】
本発明は、歯ブラシに関する。
【背景技術】
【０００２】
口腔内を清掃するために歯ブラシが広く使用されている。ところで、口腔内の隙間形状、歯牙形状は様々であるため、全ての用毛の先端を連ねることによって形成される清掃面の形状を、口腔内の各部位に応じて調整することがある。
例えば、歯間部の清掃性を向上させるためには、狭い隙間に毛先が届くように、清掃面を、頂部が鋭角な凸部を有するいわゆる山切りカットの起伏形状にすることが有効である。
歯頸部の清掃性を向上させるためには、清掃面を、頂部が鈍角な凸部を有するいわゆるドーム形状が有効である。
奥歯等の咬合面の清掃性を向上させるためには、咬合面に対する接触面積を大きくすると共に高めのブラッシング圧に耐えられるように、清掃面をほぼ平坦にすることが有効である。
上記のように、口腔内の部位に応じて、好ましい清掃面の形態は異なっている。そこで、口腔内の複数の部位に対する清掃性を向上させるために、歯ブラシの植毛面を複数の領域に分割し、各領域における清掃面の形態を互いに異なるものとして複数の清掃機能を持たせることがあった（特許文献１）。
しかし、植毛面の大きさにはある程度限度があるため、特許文献１に記載の歯ブラシでは、清掃面の形態が異なる各領域の面積を充分に確保できず、各清掃面での清掃機能は充分に発揮されなかった。しかも、各清掃面の形態での清掃機能を使い分けるために歯ブラシを操作することが難しかった。
特許文献２には、植毛領域の全体にわたって、毛丈が異なる複数の用毛を混在させた歯ブラシが開示されている。しかし、この歯ブラシでは、良好なフィット感と柔らかい当たり心地を両立させることを目的としており、複数の清掃機能を充分に発揮するものではない。
【先行技術文献】
【特許文献】
【０００３】
【特許文献１】特開２０１２−２４５３１４号公報
【特許文献２】特開２０１３−３３６号公報
【発明の概要】
【発明が解決しようとする課題】
【０００４】
本発明は、口腔内の複数の部位の各々に適した複数の清掃機能を有し、その各清掃機能を容易に使い分けることができ、しかも各清掃機能を充分に発揮させることができる歯ブラシを提供することを目的とする。
【課題を解決するための手段】
【０００５】
本発明は、以下の態様を含む。
［１］植毛面に複数本の毛束が植設されてなるブラシ部を備える歯ブラシであって、
前記ブラシ部は、任意の高さの用毛からなる第１毛束部と、該第１毛束部の高さより低い第２毛束部とからなる段差状毛束を複数有し、
全ての第２毛束部の先端を連ねることによって形成される第２清掃面が、植毛面の長さ方向及び幅方向の少なくとも一方において起伏した起伏形状とされ、
全ての第１毛束部の先端を連ねることによって形成される第１清掃面が、前記第２清掃面と相似形ではない起伏形状、又は、前記植毛面に対して平行な面とされている、歯ブラシ。
［２］段差状毛束は、二つ折りされた毛束の間に挟み込まれた平線が、前記植毛面に形成された植毛穴に打ち込まれたことにより植設され、前記第１毛束部と前記第２毛束部とが平線を挟んで形成された、［１］に記載の歯ブラシ。
［３］前記第２清掃面の起伏形状が、植毛面の長さ方向に凹凸を有する形状とされている、［１］又は［２］に記載の歯ブラシ。
【発明の効果】
【０００６】
本発明の歯ブラシは、口腔内の複数の部位の各々に適した複数の清掃機能を有し、その各清掃機能を容易に使い分けることができ、しかも各清掃機能を充分に発揮させることができる。
【図面の簡単な説明】
【０００７】
【図１】本発明の歯ブラシの一実施形態を示す側面図である。
【図２】平線式植毛における第１毛束部及び第２毛束部の一例を示す模式図である。
【図３】清掃面の一例を説明する図であって、ヘッド部の幅方向に沿う側面を見たときの側面図である。
【図４】清掃面の一例を説明する図であって、ヘッド部の長さ方向に沿う側面を見たときの側面図である。
【図５】清掃面の一例を説明する図であって、ヘッド部の幅方向に沿う側面を見たときの側面図である。
【図６】第１清掃面及び第２清掃面の一例を模式的に示す側面図であって、ヘッド部の長さ方向に沿う側面を見たときの側面図である。
【図７】第１毛束部の用毛の形状と第２毛束部の用毛の形状とが異なる一例を示す模式図である。
【図８】平線式植毛における平線の配置の一例を模式的に示す平面図である。
【図９】実施例１における清掃面を説明する図であって、ヘッド部の幅方向に沿う側面を見たときの側面図である。
【図１０】比較例３における清掃面を説明する図であって、ヘッド部の幅方向に沿う側面を見たときの側面図である。
【発明を実施するための形態】
【０００８】
本発明の歯ブラシの一実施形態について説明する。
図１に、本実施形態の歯ブラシの側面図を示す。本実施形態の歯ブラシ１は、ハンドル体１０と、ハンドル体１０に延設されたヘッド部２０とが一体成形されたものである。ヘッド部２０の一方の面は植毛面２０ａとされ、該植毛面２０ａには、複数本の毛束が植設されてなるブラシ部３０が形成されている。
ブラシ部３０は、任意の高さの用毛からなる第１毛束部３１と、第１毛束部３１の高さより低い第２毛束部３２とからなる段差状毛束を複数有している。
第１毛束部３１は、任意の高さの用毛からなる複数本の用毛３１ｃを束ねたものであり、第２毛束部３２は、用毛３１ｃよりも短い複数本の用毛３２ｃを束ねたものである。
【０００９】
本実施形態におけるヘッド部２０は、ハンドル体１０の長さ方向が長手とされ、平面視において角部が曲線で隅切りされた略四角形の平板状とされている。
植毛面２０ａには、植毛穴が複数形成され、この植毛穴に毛束が植設されている。
【００１０】
ヘッド部２０の大きさは、口腔内での操作性等を勘案して決定できる。
ヘッド部２０の幅方向の長さは、長すぎると口腔内での操作性が低下し、短すぎると植毛される毛束の数が少なくなりすぎて、清掃効果が損なわれやすい。そのため、ヘッド部２０の幅方向の長さは、例えば、５〜１３ｍｍとされる。
ヘッド部２０の厚さは、薄いほど口腔内での操作性を高められるが、薄すぎるとヘッド部２０の強度が不十分になりやすい。そのため、ヘッド部２０の厚さは、ハンドル体１０の材質等を勘案して決定でき、例えば、１．５〜５ｍｍが好ましく、２〜３ｍｍがより好ましい。
ヘッド部２０の長さ方向の長さは、長すぎると口腔内での操作性が損なわれやすく、短すぎると植毛される毛束の数が少なくなりすぎて、清掃効果が損なわれやすい。そのため、ヘッド部２０の長さ方向の長さは、１０〜２６ｍｍの範囲で適宜決定される。
【００１１】
植毛穴の形状は、特に限定されず、真円又は楕円等の円形、三角形や四角形等の多角形等が挙げられる。通常は真円とされるが、四角形（長方形、正方形）とすることで、後述の清掃面の起伏をより滑らかにすることができる。
植毛穴の穴数は、特に限定されず、例えば、１０〜６０穴とされる。
植毛穴の直径は、求める毛束の太さに応じて決定され、例えば、１〜３ｍｍとされる。
植毛穴の配列パターンは、特に限定されず、いわゆる碁盤目状や千鳥状等、いかなる配列パターンであってもよい。
【００１２】
本実施形態では、毛束が二つ折りされ、二つ折りされた毛束の間に平線が挟み込まれ、該平線が植毛穴に打ち込まれたことにより毛束が植毛面２０ａに植設されている。二つ折りされた毛束の、平線４０を境界とした際の一方を第１毛束部３１とし、二つ折りされた毛束の、平線４０を境界とした際の他方を第２毛束部３２とする（図２）。すなわち、第１毛束部３１及び第２毛束部３２は平線４０を挟んで形成されている。
さらに、本実施形態では、全ての第２毛束部３２の先端を連ねることによって形成される第２清掃面が、植毛面２０ａの長さ方向及び幅方向の少なくとも一方において起伏した起伏形状とされている。全ての第１毛束部３１の先端を連ねることによって形成される第１清掃面が、前記第２清掃面と相似形ではない起伏形状、又は、前記植毛面に対して平行な面とされている。
すなわち、本実施形態の歯ブラシ１においては、全ての第１毛束部３１の先端を連ねることによって形成される第１清掃面と、全ての第２毛束部３２の先端を連ねることによって形成される第２清掃面の両方が形成された部分を有する。第１清掃面及び第２清掃面の両方が形成された部分は、本発明の効果がより発揮されることから、ブラシ部３０全体の８０％以上であることが好ましく、９０％以上であることがより好ましく、１００％であることが特に好ましい。
【００１３】
上述したように、第１清掃面は、第２清掃面と相似形ではない起伏形状、又は、前記植毛面に対して平行な面であれば、特に限定されるものではなく、様々な形状とすることができる。第２清掃面は、植毛面の長さ方向及び幅方向の少なくとも一方において起伏した起伏形状であれば、特に限定されるものではなく、様々な形状とすることができる。
例えば、第１清掃面又は第２清掃面は、以下の例の清掃面を適用することができる。
図３に示す例は、植毛面２０ａの幅方向において中央の用毛３１ｃ，３２ｃの高さを最も高くし、両端に向って用毛３１ｃ，３２ｃの高さを低くして形成した、凸状の起伏形状ＰＡの清掃面である。このような清掃面では、歯頸部への当たり心地、歯頸部の清掃性が高くなるが、歯間部及び奥歯等の咬合面の清掃性は低くなる。
図４に示す例は、長い毛束（毛束部３２ａ）と短い毛束（毛束部３２ｂ）とを交互に配置して形成した、凹凸状の起伏形状ＰＢの清掃面である。このような清掃面では、歯間清掃性が高くなるが、歯頸部に一様に接触できず、歯頸部への当たり心地と歯頸部の清掃性が低くなる。
図５に示す例は、毛束（第１毛束部３１又は第２毛束部３２）の高さを同一にして、清掃面を植毛面２０ａに対して平行なフラットな形状ＰＣとした例である。このような清掃面では、奥歯等の咬合面の清掃に適しているが、歯間部及び歯頸部の清掃に適していない。
【００１４】
上記のような清掃面を組み合わせて第１清掃面及び第２清掃面を形成することにより、本発明におけるブラシ部３０が得られる。
例えば、図３に示す清掃面を第１清掃面とし、図４に示す清掃面を第２清掃面とすることにより、図６に示すようなブラシ部３０を得ることができる。後述する実施例１は、図６に示すブラシ部３０を有する具体例である。すなわち、実施例１では、第１清掃面Ｐ１が、植毛面２０ａの幅方向においては中央が最も高く、端部に向って低くなる凸状の起伏形状の清掃面とされている。第２清掃面Ｐ２は、植毛面２０ａの長さ方向に沿って毛丈が高い第２毛束部と毛丈が低い第２毛束部とが交互に配置されることによって、凹凸形状の清掃面とされている。
【００１５】
第１毛束部３１の高さ（毛丈）と第２毛束部３２の高さ（毛丈）との差は、０ｍｍ超７ｍｍ以下が好ましく、１〜５ｍｍであることが好ましい。第１毛束部３１の長さと第２毛束部３２の長さとの差が前記下限値以上であれば、歯ブラシ１に複数の清掃機能を容易に持たせることができ、前記上限値以下であれば、複数の清掃機能をより容易に使い分けることができる。
【００１６】
用毛３１ｃ，３２ｃは、例えば、毛先に向かって細くなり、毛先が先鋭化された用毛（テーパー毛）、長さ方向の全体にわたって直径が同一な用毛（ストレート毛）、毛先が複数に分岐した用毛（毛先分岐毛）等が挙げられる。ストレート毛としては、毛先が植毛面２０ａに略平行な平面とされたものや、毛先が半球状に丸められたものが挙げられる。
本実施形態では、毛束が、長さの異なる第１毛束部３１と第２毛束部３２とからなっても疎毛感を抑制できるため、毛先分岐毛を用いることが好ましい。
第１毛束部３１の用毛３１ｃと第２毛束部３２の用毛３２ｃは同じでもよいし、異なってもよい。第２清掃面による清掃機能をより発揮させる場合には、第１毛束部３１の用毛３１ｃは、第２毛束部３２の用毛３２ｃよりも剛性が低くなるものが好ましい。具体的には、用毛３１ｃを毛先分岐毛とし、用毛３２ｃをストレート毛とする形態（図７）、用毛３１ｃをテーパー毛とし、用毛３２ｃをストレート毛とする形態が好ましい。
【００１７】
用毛３１ｃ，３２ｃの材質は、例えば、６−１２ナイロン（６−１２ＮＹ）、６−１０ナイロン（６−１０ＮＹ）等のポリアミド、ＰＥＴ、ＰＢＴ、ポリトリメチレンテレフタレート（ＰＴＴ）、ポリエチレンナフタレート（ＰＥＮ）、ポリブチレンナフタレート（ＰＢＮ）等のポリエステル、ＰＰ等のポリオレフィン、オレフィン系エラストマー、スチレン系エラストマー等のエラストマー樹脂等が挙げられる。これらの樹脂材料は、１種単独で又は２種以上を組み合わせて用いることができる。
また、用毛３１ｃ，３２ｃとしては、芯部と該芯部の外側に設けられた少なくとも１層以上の鞘部とを有する多重芯構造を有するポリエステル製用毛が挙げられる。
【００１８】
用毛３１ｃ，３２ｃの横断面形状は、特に限定されず、真円形、楕円形等の円形、多角形、星形、三つ葉のクローバー形、四つ葉のクローバー形等としてもよい。全ての用毛３１ｃ，３２ｃの断面形状は同じであってもよいし、異なっていてもよい。
【００１９】
用毛３１ｃ，３２ｃの高さは、各清掃面の形態に応じて決定され、例えば、６〜１３ｍｍの範囲内とされる。
用毛３１ｃ，３２ｃの太さは、材質等を勘案して決定でき、横断面が円形の場合、例えば、６〜９ｍｉｌ（１ｍｉｌ＝１／１０００ｉｎｃｈ＝０．０２５ｍｍ）とされる。また、使用感、刷掃感、清掃効果、耐久性等考慮して、太さの異なる複数本の用毛３１ｃ，３２ｃを任意に組み合わせて用いてもよい。
【００２０】
本実施形態において使用される平線４０は、植毛穴の中心部を通り、且つ、植毛穴を跨ぐように植毛穴に打設されている。平線４０の材質としては、例えば、真鍮やステンレスなどの金属を挙げることができ、その他にも硬質プラスチックや生分解性プラスチックなどを挙げることができる。
平線４０の角度は、歯ブラシの使用目的によって任意に変更することができ、平線４０の角度を調整することによって疎毛感を抑制できる。例えば歯頸部の清掃には歯ぐきへのフィット性を高めるためには、植毛面２０ａの長さ方向に対して、±８０°であることが好ましく、±８５°であることがより好ましく、９０°であることが特に好ましい。また、平線４０の角度は、毛束部３１と毛束部３２の段差形成を植毛面２０ａに対して任意の角度で調節できるため、全てが同一である必要はない。
平線４０の長さや幅、厚みは、第１毛束部３１及び第２毛束部３２や植毛穴に合わせて任意に調整すればよいが、通常、平線４０の長さは植毛穴の直径よりも大きく、平線４０の幅は植毛穴の深さよりも小さくされる。また、平線４０の厚みを調節することによって、第１毛束部３１及び第２毛束部３２を植毛穴内に確実に固定して空隙を少なくすることができる。また、平線４０は、植毛穴からの抜けを防ぐため、植毛穴の両側からはみ出した部分の長さの合計が０．３〜０．６ｍｍであることが好ましい。
【００２１】
ハンドル体１０及びヘッド部２０の材質は、ハンドル体１０及びヘッド部２０に求める剛性や機械特性等を勘案して決定でき、例えば、曲げ弾性率（ＪＩＳ  Ｋ７２０３）５００ＭＰａ以上の樹脂（以下、硬質樹脂ということがある）が好ましく、曲げ弾性率２０００ＭＰａ以上の樹脂がより好ましい。ハンドル体１０及びヘッド部２０に用いられる樹脂の曲げ弾性率の上限は特に限定されないが、例えば３０００ＭＰａとされる。
曲げ弾性率５００ＭＰａ以上の樹脂としては、例えば、ポリプロピレン（ＰＰ）、ポリエチレンテレフタレート（ＰＥＴ）、ポリブチレンテレフタレート（ＰＢＴ）、ポリシクロへキシレンジメチレンテレフタレート（ＰＣＴ）、ポリアセタール（ＰＯＭ）、ポリエチレンナフタレート（ＰＥＮ）、ポリスチレン（ＰＳ）、アクリロニトリル・ブタジエン・スチレン樹脂（ＡＢＳ）、セルロースプロピオネート（ＣＰ）、ポリアリレート、ポリカーボネート、アクリロニトリル・スチレン共重合樹脂（ＡＳ）等が挙げられ、中でも、曲げ弾性率２０００ＭＰａ以上であるＰＯＭ、ＰＥＮ、ＰＢＴ、ＰＣＴ等が好ましい。曲げ弾性率２０００ＭＰａ以上の樹脂を用いることで、ヘッド部２０を薄くして、口腔内での操作性を高められ、かつハンドル体１０の破損を防止できる。
【００２２】
また、ハンドル体１０は、その一部又は全部が軟質樹脂で被覆されていてもよい。ハンドル体１０の一部又は全部が軟質樹脂で被覆されていることで、使用者がハンドル体１０を握った際の手のフィット感が向上し、また把持した手指が滑るのを防止できる。
軟質樹脂としては、例えば、好ましくはショア硬度Ａ９０以下の樹脂、より好ましくはショア硬度Ａ１０〜４０の樹脂が挙げられる。このような軟質樹脂としては、例えば、ポリオレフィン系エラストマー、スチレン系エラストマー、ポリエステル系エラストマー、ポリウレタン系熱可塑性エラストマー等のエラストマー樹脂、シリコン等が挙げられる。
【００２３】
上記歯ブラシ１におけるブラシ部３０には、第１清掃面Ｐ１と第２清掃面Ｐ２とが形成され、第１清掃面Ｐ１が、第２清掃面Ｐｓの起伏形状と相似形ではない形状又は平坦であるため、口腔内の複数の部位の各々に適した複数の清掃機能を有している。また、第１清掃面Ｐ１と第２清掃面Ｐ２とを形成する段差状毛束が第１毛束部３１と第２毛束部３２とからなることで疎毛感が抑制され、しかも第１清掃面Ｐ１及び第２清掃面Ｐ２を形成する部分が大きいため、各清掃面の清掃機能を充分に発揮させることができる。
また、歯ブラシ１では、歯に毛束を押し付けるブラッシング圧を変更するのみで、第１清掃面Ｐ１による清掃と第２清掃面Ｐ２による清掃とを使い分けることができる。すなわち、ブラッシング圧を弱くした場合には、第１清掃面Ｐ１による清掃が主体となり、ブラッシング圧を強くした場合には、第２清掃面Ｐ２による清掃が主体となる。したがって、複数の清掃機能を容易に使い分けることができる。
【００２４】
なお、本発明は、上記実施形態に限定されず、毛束に第１毛束部と第２毛束部とを形成して第１清掃面と第２清掃面とを形成できれば、平線を使用した植毛である必要はない。
【実施例】
【００２５】
（実施例１）
ポリプロピレンを射出成形して、ハンドル体とヘッド部とを備える一体成形物を得た。
次いで、一方の端部側が毛先分岐毛（分岐部３ｍｉｌ、８本）で、他方の端部側がストレート毛（８ｍｉｌ）とされた用毛が複数本束ねられた毛束を二つ折りにし、二つ折りされた毛束の間に平線を挟み込んだ。次いで、図８に示すように、平線を、平線角度が植毛面２０ａの長さ方向に対して９０°となるように植毛穴に打ち込んで毛束を植設した。このとき、平線４０を境界とした一方を、毛先分岐毛からなる第１毛束部３１とし、平線４０を境界とした他方を、ストレート毛からなる第２毛束部３２とした。また、図８の奇数列における第２毛束部３２ａの用毛の高さを８ｍｍとし、偶数列における第２毛束部３２ｂの用毛の高さを１０ｍｍとした。これにより、全ての第２毛束部の先端を連ねることによって形成される第２清掃面Ｐ２を、植毛面２０ａの長さ方向に高さ１０ｍｍの毛束部３２ａと高さ８ｍｍの毛束部３２ｂが繰り返し配置される凹凸形状の面（図６及び図９）とした。
次いで、全ての第１毛束部の先端を連ねることによって形成される第１清掃面Ｐ１が、植毛面２０ａの幅方向においては中央が高さ１２ｍｍで最も高く、端部に向って低くなって端部の高さが１０ｍｍとなる凸部が形成される面（図９）となるように、第１毛束部の用毛を研削した。
これにより、第１清掃面Ｐ１及び第２清掃面Ｐ２の両方が形成された歯ブラシを得た。
【００２６】
（実施例２）
第２清掃面を形成する用毛を毛先分岐毛（分岐部３ｍｉｌ、８本、根元部８ｍｉｌ）に変更した以外は実施例１と同様の歯ブラシである。
【００２７】
（実施例３）
第１清掃面を形成する用毛をストレート毛（８ｍｉｌ）に変更した以外は実施例１と同様の歯ブラシである。
【００２８】
（実施例４）
平線角度を植毛面２０ａの長さ方向に対して１５°とした以外は実施例１と同様の歯ブラシである。
【００２９】
（比較例１）
実施例１における第１清掃面のみで第２清掃面を有さない単一清掃面の歯ブラシである。
【００３０】
（比較例２）
実施例１における第２清掃面のみで第１清掃面を有さない単一清掃面の歯ブラシである。
【００３１】
（比較例３）
実施例１における第１清掃面を、植毛面２０ａの長さ方向に長い毛束部３１と短い毛束部３２が繰り返し配置される凹凸形状（図４）で且つ植毛面２０ａの幅方向において中央が最も高く、端部に向って低くなる凸部が形成される形状とした。具体的に、図８の奇数列における第１毛束部３１の先端を連ねることによって形成される清掃面を、植毛面２０ａの幅方向において中央が高さ１０ｍｍで最も高く、端部に向って低くなって端部の高さが８ｍｍになる凸部が形成される形状ＰＦ（図１０）とした。図８の偶数列における第１毛束部３１の先端を連ねることによって形成される清掃面を、植毛面２０ａの幅方向において中央が高さ１２ｍｍで最も高く、端部に向って低くなって端部の高さが１０ｍｍになる凸部が形成される形状ＰＥ（図１０）とした。第１清掃面を形成する用毛は毛先分岐毛（分岐部８ｍｉｌ、８本）とした。
また、本例では、上記第１清掃面のみで第２清掃面を有さないものとした。
それら以外は実施例１と同様の歯ブラシである。
【００３２】
（比較例４）
第２清掃面を形成する用毛の高さを１０ｍｍ一定として、第２清掃面を、植毛面に対して平行なフラット形状とした以外は実施例１と同様の歯ブラシである。
【００３３】
＜評価＞
歯ブラシの使用感を、１０人のモニターが以下のように評価した。評価結果を表１，２に示す。
［歯茎への当たり心地］
各モニターが各例の歯ブラシで口腔内を清掃し、その際の歯茎への当たり心地を次の基準で評価した。
５点：歯茎への当たり心地がきわめて良い、４点：歯茎への当たり心地がかなり良い、３点：歯茎への当たり心地が良い、２点：歯茎への当たり心地があまり良くない、１点：歯茎への当たり心地が良くない。
そして、モニター１０人の平均点を求め、その平均点が４．５以上を◎＋、４．０以上４．５未満を◎、平均点が３．０以上４．０未満を○、平均点が２．０以上３．０未満を△、平均点２．０未満を×とした。
【００３４】
［歯茎の清掃実感］
各モニターが各例の歯ブラシで口腔内を清掃し、その際の歯茎の清掃実感を次の基準で評価した。
５点：歯茎の汚れがよく落ちた実感がかなり強くある、４点：歯茎の汚れがよく落ちた実感が強くある、３点：歯茎の汚れがよく落ちた実感がある、２点：歯茎の汚れがよく落ちた実感があまりない、１点：歯茎の汚れがよく落ちた実感がない。
そして、モニター１０人の平均点を求め、その平均点が４．５以上を◎＋、４．０以上４．５未満を◎、平均点が３．０以上４．０未満を○、平均点が２．０以上３．０未満を△、平均点２．０未満を×とした。
【００３５】
［歯間の清掃実感］
各モニターが各例の歯ブラシで口腔内を清掃し、その際の歯間の清掃実感を次の基準で評価した。
５点：歯間の汚れがよく落ちた実感がかなり強くある、４点：歯間の汚れがよく落ちた実感が強くある、３点：歯間の汚れがよく落ちた実感がある、２点：歯間の汚れがよく落ちた実感があまりない、１点：歯間の汚れがよく落ちた実感がない。
そして、モニター１０人の平均点を求め、その平均点が４．５以上を◎＋、４．０以上４．５未満を◎、平均点が３．０以上４．０未満を○、平均点が２．０以上３．０未満を△、平均点２．０未満を×とした。
【００３６】
【表１】
2015139518.tif 000003
【００３７】
【表２】
2015139518.tif 000004
【００３８】
実施例１〜４の各歯ブラシでは、歯茎への当たり心地、歯茎の清掃実感及び歯間の清掃実感がいずれも優れていた。
上記実施例に対し、比較例１の歯ブラシでは、歯間の清掃実感が低かった。
比較例２の歯ブラシでは、歯茎への当たり心地及び歯茎の清掃実感が低かった。
比較例３の歯ブラシでは、歯茎への当たり心地、歯茎の清掃実感及び歯間の清掃実感が低かった。
比較例４の歯ブラシでは、歯間の清掃実感が低かった。
すなわち、比較例１〜４の歯ブラシは、歯茎及び歯間の各々に適した複数の清掃機能を有するものではなかった。
【符号の説明】
【００３９】
１  歯ブラシ
１０  ハンドル体
２０  ヘッド部
２０ａ  植毛面
３０  ブラシ部
３１  第１毛束部
３１ｃ  用毛
３２，３２ａ，３２ｂ  第２毛束部
３２ｃ  用毛
４０  平線
【図１】
2015139518.tif 000005
【図２】
2015139518.tif 000006
【図３】
2015139518.tif 000007
【図４】
2015139518.tif 000008
【図５】
2015139518.tif 000009
【図６】
2015139518.tif 000010
【図７】
2015139518.tif 000011
【図８】
2015139518.tif 000012
【図９】
2015139518.tif 000013
【図１０】
2015139518.tif 000014